(57)【要約】【課題】収納ラックから流れ落ちる汚水等を排水口に確実に案内して排出することができる流し台を提供する。【解決手段】  流し台の水槽１０の底面の後方側部分に、段部１１を介して低い位置にある排水用凹部２０を備え、前記排水用凹部２０の上方空間を、流し台用の小物を収納するための収納ラック２１の設置空間とし、前記収納ラック２１が、多数の線材を所定間隔を置いて組み込んで構成された上方開放型の水切り籠からなり、前記収納ラック２１の前後寸法を前記排水用凹部２０の前後寸法とほぼ同一の大きさに設定し、かつ、該収納ラック２１の左右寸法を前記排水用凹部２０の左右寸法とほぼ同一の大きさに設定した。【選択図】図２
2009007907.tif 000002
【特許請求の範囲】
【請求項１】
流し台の水槽の底面の後方側部分に、段部を介して低い位置にある排水用凹部を備え、前記排水用凹部の上方空間を、流し台用の小物を収納するための収納ラックの設置空間としたことを特徴とする流し台。
【請求項２】
前記収納ラックが、多数の線材を所定間隔を置いて組み込んで構成された上方開放型の水切り籠からなり、前記収納ラックの前後寸法を前記排水用凹部の前後寸法とほぼ同一の大きさに設定し、かつ、該収納ラックの左右寸法を前記排水用凹部の左右寸法とほぼ同一の大きさに設定したことを特徴とする請求項１記載の流し台。
【請求項３】
前記底面の外周縁から上方に立ち上げられて水槽を構成する周壁が、前方に位置して左右方向に直線状に延びる前方側縦壁部と、この前方側縦壁の左右両端から後方へ直線状に延びる左右一対の横側縦壁と、これら横側縦壁の後端から後方に向かって左右方向中央側に直線状に延びる傾斜縦壁と、これら左右一対の傾斜縦壁の後端同士を連結するとともに前記前方側縦壁部にほぼ平行となる直線状の後方側縦壁とからなり、前記収納ラックを、前記左右の傾斜縦壁の壁面及び前記後方側縦壁の壁面に沿った形状に構成したことを特徴とする請求項１又は２記載の流し台。
【請求項４】
前記後方側縦壁の左右方向一端から離間する側へ延長させた延長線とこの延長線側に位置する横側縦壁の後端から後方へ延長させた延長線と該延長線側に位置する傾斜縦壁とで形成される三角形状のデッドスペースを蛇口の配管スペースとしたことを特徴とする請求項３記載の流し台。
【発明の詳細な説明】
【技術分野】
【０００１】
本発明は、流し台用の小物を収納するための収納ラックを、流し台の水槽の壁面等に備えた流し台に関する。
【背景技術】
【０００２】
上記流し台においては、例えば水槽の後側のほぼ左右中央に後側に奥まった凹部を備えさせ、その凹部内に収納ラックを位置させて凹部を構成する縦壁面に備えさせた係止手段にて係止保持させたものが提案されている。（例えば、特許文献１参照）。
【特許文献１】特開平１０−１０２５５９号公報（図１参照）
【発明の開示】
【発明が解決しようとする課題】
【０００３】
上記特許文献１の構成の収納ラックは、多数の線材にて籠状に形成されていることから、使用直後の洗浄用タワシやスポンジ等の洗浄用具を収納ラックに収納していると、その洗浄用具から汚水が下方の水槽の底面に流れ落ちることがある。この流れ落ちた汚水は、底面の傾斜案内面によって排水口まで案内されて排水されることになるが、排水量が多い場合に、水槽の前方に位置する底面である洗い場まで前記汚水が流れ込んで、洗い終わって濯ぎを行うために置いている食器等に付着してしまう結果、再度洗わなければならない不都合が発生することがあった。
【０００４】
本発明は前述の状況に鑑み、解決しようとするところは、収納ラックから流れ落ちる汚水等を排水口に確実に案内して排出することができる流し台を提供するものである。
【課題を解決するための手段】
【０００５】
本発明は、前述の課題解決のために、流し台の水槽の底面の後方側部分に、段部を介して低い位置にある排水用凹部を備え、前記排水用凹部の上方空間を、流し台用の小物を収納するための収納ラックの設置空間としたことを特徴としている。
上記のように、排水用凹部の上方に収納ラックを設置することによって、収納ラックから落下する汚水等は、全て低い位置にある排水用凹部に落下するから、高い位置にある底面である洗い場を構成する底面にまで移動することを確実に阻止することができる。
【０００６】
前記収納ラックが、多数の線材を所定間隔を置いて組み込んで構成された上方開放型の水切り籠からなり、前記収納ラックの前後寸法を前記排水用凹部の前後寸法とほぼ同一の大きさに設定し、かつ、該収納ラックの左右寸法を前記排水用凹部の左右寸法とほぼ同一の大きさに設定してもよい。
【０００７】
前記底面の外周縁から上方に立ち上げられて水槽を構成する周壁が、前方に位置して左右方向に直線状に延びる前方側縦壁部と、この前方側縦壁の左右両端から後方へ直線状に延びる左右一対の横側縦壁と、これら横側縦壁の後端から後方に向かって左右方向中央側に直線状に延びる傾斜縦壁と、これら左右一対の傾斜縦壁の後端同士を連結するとともに前記前方側縦壁部にほぼ平行となる直線状の後方側縦壁とからなり、前記収納ラックを、前記左右の傾斜縦壁の壁面及び前記後方側縦壁の壁面に沿った形状に構成してもよい。
【０００８】
前記後方側縦壁の左右方向一端から離間する側へ延長させた延長線とこの延長線側に位置する横側縦壁の後端から後方へ延長させた延長線と該延長線側に位置する傾斜縦壁とで形成される三角形状のデッドスペースを蛇口の配管スペースとしてもよい。
【発明の効果】
【０００９】
排水用凹部の上方空間を、流し台用の小物を収納するための収納ラックの設置空間とすることによって、収納ラックから落下する汚水等の全てを、低い位置にある排水用凹部に落下させることができるから、高い位置にある底面である洗い場を構成する底面にまで移動することを確実に阻止することができる。従って、収納ラックから流れ落ちる汚水等を排水用凹部を介して排水口に確実に案内して排出することができる流し台を提供することができる。
【００１０】
前記収納ラックが、多数の線材を所定間隔を置いて組み込んで構成された上方開放型の水切り籠からなり、前記収納ラックの前後寸法を前記排水用凹部の前後寸法とほぼ同一の大きさに設定し、かつ、該収納ラックの左右寸法を前記排水用凹部の左右寸法とほぼ同一の大きさに設定することによって、排水用凹部の上方空間を全て収納ラックの設置空間に利用することができ、多数の小物を収納することができながらも、収納ラックから流れ落ちる汚水等を排水用凹部へ確実に落下させることができる。
【００１１】
前記底面の外周縁から上方に立ち上げられて水槽を構成する周壁が、前方に位置して左右方向に直線状に延びる前方側縦壁部と、この前方側縦壁の左右両端から後方へ直線状に延びる左右一対の横側縦壁と、これら横側縦壁の後端から後方に向かって左右方向中央側に直線状に延びる傾斜縦壁と、これら左右一対の傾斜縦壁の後端同士を連結するとともに前記前方側縦壁部にほぼ平行となる直線状の後方側縦壁とからなり、前記収納ラックを、前記左右の傾斜縦壁の壁面及び前記後方側縦壁の壁面に沿った形状に構成することによって、収納ラックを方向の異なる３つの縦壁の壁面にて安定よく接当支持することができる。
【００１２】
前記後方側縦壁の左右方向一端から離間する側へ延長させた延長線とこの延長線側に位置する横側縦壁の後端から後方へ延長させた延長線と該延長線側に位置する傾斜縦壁とで形成される三角形状のデッドスペースを蛇口の配管スペースとすることによって、収納ラックの蛇口からの水が掛かってしまうことを回避し易いだけでなく、蛇口の配管スペースを水槽の後方側に確保する構成に比べて、流し台が前後方向に大型化することを回避することができる。
【発明を実施するための最良の形態】
【００１３】
図１に、本発明の流し台３を組み込んだシステムキッチンを示している。前記システムキッチンは、ＩＨクッキングヒータ１を上部に備えたヒータキャビネット２と、蛇口Ｊ及び流し台３を上部に備えたシンクキャビネット４と、一段低くなった作業スペース用の凹部５が上部に備えた作業台用キャビネット６とを左右方向に併設しているが、これらのキャビネットに代えて、他のキャビネットを併設してもよいし、シンクキャビネット４を単独で使用することもできる。又、前記３つのキャビネット２，４，６の下方には、スライド自在な引出し７，８，９を備えているが、それらキャビネット２，４，６自体の具体的構成も、自由に変更可能である。
【００１４】
図１〜図６に示すように、前記流し台３を構成する水槽１０の底面の前方側に、段部１１を挟んで一段（複数段でもよい）高い位置にある第１底面１２を備え、該底面の後方側に、該段部１１を挟んで一段（複数段でもよい）低い位置にある第２底面１３を備え、前記第１底面１２と前記第２底面１３とに位置する状態で排水用の開口１４が形成され、該開口１４のうち、前記第１底面１２側に位置する半円状の第１開口を上方から閉じる半円状の第１蓋部１５と、前記第２底面１３側に位置する半円状の第２開口を上方から閉じる半円状の第２蓋部１６と、これら第１蓋部１５と第２蓋部１６とを連結する連結部１７（図５参照）とを備えた覆い蓋１８を備え、該覆い蓋１８に前記開口１４へ連通する連通口１９（図５参照）を備えているが、この覆い蓋１８は無くてもよい。前記第２底面１３は、水槽１０の後側に位置し、ほぼ台形状で前記第１底面１２よりも前後方向で小さい面積、つまり第１底面１２のほぼ１／３程度の面積の大きさになっているが、位置及び形状並びに大きさは自由に変更可能であるが、洗い場となる第１底面１２よりも小さな面積に設定することになる。又、前記排水用の開口１４を第２底面１３にのみ設けて実施することもできる。前記開口１４を左右方向ほぼ中央部でかつ後方寄り位置に備えたが、どこに設けてもよいし、又、開口１４の形状は、円形の他、例えば矩形状又は楕円形等であってもよい。
【００１５】
前記第１底面１２は第２底面１３（後方側）側ほど下方に位置する傾斜面になっており、第２底面１３側（後方側）へ排水を案内することができるようになっている。又、第２底面１３は、左右方向ほぼ中央に形成された前記開口１４側へ排水が案内することができるように、左右両端からそれぞれ中央へ向かうほど下方に位置する傾斜面になっているが、開口１４の位置に合わせて変更することになる。
【００１６】
前記一段下がった第２底面１３と該第２底面１３の前端が連結される前記段部１１と該第２底面１３の前端を除く左右端及び後端が連結される後述する縦壁２７，２８，２９の壁面とで、排水用凹部２０を構成している。そして、前記排水用凹部２０の上方空間を、流し台用の小物を収納するための収納ラック２１の設置空間に利用している。前記排水用凹部２０を間口方向（前後方向）から見た時の流し台３の左右幅全域に渡って形成することによって、排水用凹部２０の体積を増大させることができるから、排水量が増大した場合でも、排水用凹部２０に移動した排水が第１底面１２側へ移動することを確実に回避することができる利点がある。
【００１７】
図２〜図６に示すように、前記収納ラック２１が、多数の棒状の線材を縦横に所定間隔を置いて組み込んで構成された上方開放型の水切り籠からなり、前記収納ラック２１は、水槽１０を構成する後方側縦壁２９に取り付けられた左右一対の突起２２，２２に係止する円弧状の係止部２３，２３を備えている。又、前記収納ラック２１の前後寸法を前記排水用凹部２０の前後寸法とほぼ同一の大きさに設定し、かつ、該収納ラック２１の左右寸法を前記排水用凹部２０の左右寸法とほぼ同一の大きさに設定することによって、排水用凹部２０の上方空間を全て収納ラック２１の設置空間に利用することができ、多数の小物を収納することができながらも、収納ラック２１から流れ落ちる汚水等を排水用凹部へ確実に落下させることができるようにしているが、排水用凹部２０よりも小さな寸法に収納ラック２１を構成して実施することもできる。又、前記排水用凹部２０が平面視ほぼ台形状になっていて、これに合わせて収納ラック２１も平面視ほぼ台形状に構成しているが、排水用凹部２０及び収納ラック２１の形状は自由に変更可能である。
【００１８】
前記２つの底面１２，１３の外周縁から上方に立ち上げられて水槽１０を構成する周壁が、前方に位置して左右方向に直線状に延びる前方側縦壁部２４と、この前方側縦壁２４の左右両端から後方へ直線状に延びる左右一対の横側縦壁２５，２６と、これら横側縦壁２５，２６の後端から後方に向かって左右方向中央側に直線状に延びる傾斜縦壁２７，２８と、これら左右一対の傾斜縦壁２７，２８の後端同士を連結するとともに前記前方側縦壁部２４にほぼ平行となる直線状の後方側縦壁２９とからなり、前記収納ラック２１を、前記左右の傾斜縦壁２７，２８の壁面及び前記後方側縦壁２９の壁面に沿った形状に構成することによって、収納ラックを３つの縦壁２７，２８，２９の壁面にて安定良く接当支持することができるようにしている。
【００１９】
前記後方側縦壁２９の左右方向一端から離間する側へ延長させた延長線とこの延長線側に位置する横側縦壁２６の後端から後方へ延長させた延長線と該延長線側に位置する傾斜縦壁２８とで形成される三角形状のデッドスペースを蛇口Ｊの配管３０（図１参照）の配管スペースとすることによって、蛇口Ｊの配管スペースを水槽の後方側に確保する構成に比べて、流し台３が前後方向に大型化することを回避することができる利点があるが、蛇口Ｊの配管スペースを水槽の後方側に確保する構成であってもよい。
【００２０】
図１〜図６に示すように、前記収納ラック２１の上端開口の一部を覆うための２枚のプレート３１，３２を左右方向に並べた状態で備え、右側のプレート３２を左右方向にスライド自在に構成されている。前記プレート３１又は３２には、多数の排水孔３１Ａ又は３２Ａを備えており、例えばプレート３１，３２に一時的に載置したタワシやスポンジ等から流れ出す汚水が排水孔３１Ａ又は３２Ａを通して収納ラック２１に案内され、下方の排水用凹部２０に落下するように構成しているが、プレート３１，３２は無くてもよい。
図７では、前記２つのプレート３１，３２に加えて、右側に１つのプレート３６を設けた場合を示しており、プレートの個数及び形状は自由に変更可能である。右側のプレート３６も他の２つのプレート３１，３２と同様に形状のみ異なるだけで基本構成は同一であり、後述する。
【００２１】
又、前記一方のプレート３１が、前記タワシやスポンジ等の小物を載置可能な１／４円弧形状の扁平板部３１ａと、この扁平板部３１ａの３辺から下方に垂下した３枚の垂直板部３１ｂとからなる金属製のプレート本体と、前記垂直板部３１ｂの下端に嵌まり込む合成樹脂製のカバー部材３１ｃとから構成され、又、他方のプレート３２が、前記タワシやスポンジ等の小物を載置可能な長方形状の扁平板部３２ａと、この扁平板部３２ａの４辺から下方に垂下した４枚の垂直板部３２ｂとからなる金属製のプレート本体と、前記垂直板部３２ｂの下端に嵌まり込む合成樹脂製のカバー部材３２ｃとから構成されている。そして、収納ラック２１の前端に上方から被せられた金属製の前側プレート３３と前記後方側縦壁２９の壁面との間に前記プレート３１，３２を左右方向にスライド自在に支持させている。又、図７に示す第３のプレート３６も、前記タワシやスポンジ等の小物を載置可能なほぼ台形状の扁平板部３６ａと、この扁平板部３６ａの４辺から下方に垂下した４枚の垂直板部３６ｂとからなる金属製のプレート本体と、前記垂直板部３６ｂの下端に嵌まり込むほぼ台形状で環状の合成樹脂製のカバー部材３６ｃとから構成されている。
【００２２】
前記プレート３１，３２及び前側プレート３３に代えて、図８に示すように、構成してもよい。つまり、収納ラック２１の上端開口全域に渡って覆い被せられる載置固定式の固定プレート３７と、この固定プレート３７の特定箇所に頻繁に使用する小物を出し入れ可能な開口３４Ａを構成する取り外し自在な開口形成部材３４と、この開口形成部材３４の左側（右側でもよい）に収納ラック２１内に収納された小物を取り出すことができるように開口を形成するための取り外し可能な可動プレート３５とから構成している。前記固定プレート３７の上面を構成する扁平板部３７ａには、排水用の貫通孔３７Ａが形成され、扁平板部３７ａの外周縁から下方に垂下する環状で板状のスカート部３７ｂを備えている。又、前記可動プレート３５にも貫通孔３５Ａが形成されている。
【図面の簡単な説明】
【００２３】
【図１】システムキッチンの斜視図である。
【図２】シンクキャビネットの上部を示す分解斜視図である。
【図３】シンクキャビネットの上部を示す斜視図である。
【図４】シンクキャビネットの平面図である。
【図５】図４におけるＩＩ−ＩＩ線断面図である。
【図６】図４におけるＩ−Ｉ線断面図である。
【図７】３つのプレートの斜視図である。
【図８】別のプレートの斜視図である。
【符号の説明】
【００２４】
１…クッキングヒータ、２…ヒータキャビネット、３…流し台、４…シンクキャビネット、５…排水用凹部、６…作業台用キャビネット、７，８，９…引出し、１０…水槽、１１…段部、１２，１３…底面、１４…開口、１５，１６…蓋部、１７…連結部、１８…覆い蓋、１９…連通口、２０…排水用凹部、２１…収納ラック、２２…突起、２３…係止部、２４…前方側縦壁部、２５，２６…横側縦壁、２７，２８…傾斜縦壁、２９…後方側縦壁、３０…配管、３１，３２，３６…プレート、３１Ａ，３２Ａ，３６Ａ…排水孔、３１ａ，３２ａ，３６ａ…扁平板部、３１ｂ，３２ｂ，３６ｂ…垂直板部、３１ｃ，３２ｃ，３６ｃ…カバー部材、３３…前側プレート、３７…固定プレート、３７Ａ…貫通孔、３７ａ…扁平板部、３７ｂ…スカート部、３４…開口形成部材、３４Ａ…開口、３５…可動プレート、３５Ａ…貫通孔、Ｊ…蛇口
【図１】
2009007907.tif 000003
【図２】
2009007907.tif 000004
【図３】
2009007907.tif 000005
【図４】
2009007907.tif 000006
【図５】
2009007907.tif 000007
【図６】
2009007907.tif 000008
【図７】
2009007907.tif 000009
【図８】
2009007907.tif 000010